(57)【要約】  歩行若しくは作業時、運動時における親指及び／又は小指の脱落を防止して被着者の着用感を向上させると共に、製造工程を簡略化して製作コストを低減できるくつ下を提供することを目的とする。  全体を丸編機により編成される筒状体編地からなり、この筒状体編地の基端開口部から先端部開口部に向かって口ゴム部（５）、レッグ部（４）、ヒール部（３）、フート部（２）、トウ部（１）、及びルーズ・コース（６）が連続して編成され、このルーズ・コース（６）を縫製して袋体のくつ下として形成し、前記トウ部（１）が親指・中三本指・小指に三分割される各指挿入部（１１，１２，１３）を備え、この各指挿入部（１１，１２，１３）の相隣接する相互間で基部側辺端（１１ａ・１２ａ、１２ｂ・１３ａ）が順次重複した状態で編成され、これらの相隣接する各指挿入部（１１，１２，１３）の各基部基端（１１ｃ、１２ｃ、１３ｃ）の間でウェール方向に複数コース離反して編成される構成である。
2018142584.tif 000002
【特許請求の範囲】
【請求項１】
全体を丸編により編成される筒状体の先端部分をトウ部とし、当該トウ部を親指、中三本指及び小指に三分割して指挿入部が形成され、当該各指挿入部より先端側に編成される端部開口部を縫製して形成されるくつ下において、  前記三分割された指挿入部の相隣接する相互間で基部側辺端が順次重複した状態で編成され、  前記相隣接する各指挿入部の各基部基端との間においてウェール方向に複数コースを離反して編成されることを  特徴とするくつ下。
【請求項２】
前記請求項１に記載のくつ下において、  前記小指の指挿入部における基部側辺端が、中三本指の指挿入部における基部側辺端の上側に重複し、当該中三本指の指挿入部における他の基部側辺端が、親指の指挿入部における基部側辺端の上側に重複して形成されることを  特徴とするくつ下。
【請求項３】
前記請求項１に記載のくつ下において、  前記小指の指挿入部における基部側辺端が、中三本指の指挿入部における基部側辺端の下側に重複し、当該中三本指の指挿入部における他の基部側辺端が、親指の指挿入部における基部側辺端の下側に重複して形成されることを  特徴とするくつ下。
【請求項４】
全体を丸編機により筒状体を編成し、当該筒状体の先端部分で形成されるトウ部を前記丸編機のシリンダにおける全周のうちの所定範囲で目減らし及び目増しを繰り返して親指用、中三本指用及び小指用に三分割して指挿入部として形成し、前記筒状体における指挿入部により先端側に編成されるメークアップ部を縫製して形成されるくつ下製造方法において、  前記三分割された指挿入部の相隣接する相互間でウェール方向に順次重複させるシリンダの編成範囲で目減らし及び目増しを丸編機が繰り返し、  前記一の指挿入部を目減らし及び目増しにより編成した後で、隣接する他の指挿入部を目減らし及び目増しの編成を行う前に、シリンダの全周に亘って複数コース分を丸編機が編成することを  特徴とするくつ下製造方法。 
【発明の詳細な説明】
【技術分野】
【０００１】  本発明は、トウ部が複数に分割された指挿入部を有するくつ下に関し、特に分割された指挿入部に挿入された親指若しくは小指の脱落を防止して着用感を向上したくつ下及びくつ下製造方法に関する。
【背景技術】
【０００２】  背景技術として特許文献１に開示されるくつ下があり、当該従来のくつ下は、口ゴム部と、レッグ部と、ヒール部と、フート部と、トウ部と、このフート部及びトウ部に連続する端部開口部となるルーズ・コースを順次丸編機により編成され、前記トウ部が、小指を挿入する小指挿入部と、親指を挿入する親指挿入部と、小指・親指以外の他の三本指を挿入する３本指挿入部とを袋状に分割して編成される。【０００３】  この小指挿入部、親指挿入部及び３本指挿入部は、前記ルーズ・コースを縫い合わせて形成される縫製ラインより筒状体の先端側に形成される。前記小指挿入部と３本指挿入部とは、この小指挿入部の側端部と３本指挿入部の側端部におけるウェール方向の一部を共通とし、コースを異なるように編成される。【０００４】  このように、編成される従来のくつ下は、小指挿入部を３本指挿入部のウェール方向の一部を重畳して編成し、小指挿入部が３本指挿入部の上側に位置するように形成されたことから、小指が薬指下に潜り込むという内反小指特有な小指の障害を十分に緩和することができる。特に、小指の付け根分を圧迫することがないことから、この小指付け根部分に強く食い込むことなく、くつ下被着者の着用感を向上させることができる。さらに、親指挿入部も小指挿入部と同様に３本指挿入部のウェール方向の一部を重畳させて親指挿入部が３本指挿入部の上側に位置するように編成されたことから、外反母趾による障害も併せて緩和し、未然に防止できることとなる。【０００５】  また、他の背景技術として特許文献２に開示されるくつ下があり、内反小趾用として記載されている。この背景技術に係る内反小趾用くつ下は、足の小指が親指方向に曲がる内反小跡を防止又は矯正する内反小跡用くつ下であって、該くつ下の爪先部が、足の小指が挿入される小指部、親指が挿入される親指部及び他の指が挿入される他の指部に三分割されて形成され、小指部が、他の指部から独立して形成されていると共に、その先端部がくつ下の側方に突出するように形成されている。この構成に基づき内反小趾用くつ下は、容易に履くことができ、且つ小指（第５指）と第４指との間を可及的に広げることができることとなる。
【先行技術文献】
【特許文献】
【０００６】
【特許文献１】特開２０１０−１２１２２７号公報
【特許文献２】特開２００２−２６６１０９号公報
【発明の概要】
【発明が解決しようとする課題】
【０００７】  前記特許文献１に係るくつ下は、内反母址及び外反母址の障害を防止し、足指の付け根部分の圧迫をなくして、くつ下被着者の着用感を向上させるものであるが、この着用感はあくまでも静止時におけるもので、歩行若しくは作業時、運動時には親指若しくは小指が脱落して被着者の着用感を悪化させるという課題を有していた。【０００８】  また、前記特許文献１に係るくつ下は、三分割された３本の指挿入部を相隣接する順序で編成していないことから、編成動作が複雑化し、製造時間及びコストを悪化させていた。【０００９】  また、前記特許文献２に係る内反小指用くつ下及びその製造方法は、小指挿入部が縫目（縫製ライン）よりくつ下の踵部側の部位から分岐されるように形成されていることから、くつ下の被着者の小指付け根部分にも強く後方への力が加えられることとなり、小指が薬指下に潜り込むという内反小指特有な小指の障害を十分に緩和することができないという課題を有する。即ち、前記内反小指用くつ下は、小指を後方の踵部側へ引き寄せるという力を加える作用を有するものの、小指付け根部分に大きな後方への力が加わることから、小指を側方に確実に広げることができない。【００１０】  特に、小指の付け根分に大きな後方への力が加わることから、この小指付け根部分に強く食い込んで、くつ下被着者の着用感を悪化させることとなる。【００１１】  本発明は、前記課題を解決するためになされたもので、歩行若しくは作業時、運動時における親指及び／又は小指の脱落を防止して被着者の着用感を向上させると共に、製造工程を簡略化して製作コストを低減できるくつ下を提供することを目的とする。
【課題を解決するための手段】
【００１２】  本発明に係るくつ下は、全体を丸編により編成される筒状体の先端部分をトウ部とし、当該トウ部を親指、中三本指及び小指に三分割して指挿入部が形成され、当該各指挿入部より先端側に編成される端部開口部を縫製して形成されるくつ下において、前記三分割された指挿入部の相隣接する相互間で基部側端が順次重複した状態で編成され、前記相隣接する各指挿入部の各基部端との間においてウェール方向に複数コースを離反して編成されることを特徴とするものである。【００１３】  また、本発明に係るくつ下は必要に応じて、前記請求項１に記載のくつ下において、前記親指の指挿入部における基部側端が、中三本指の指挿入部における基部側端の上側に重複し、当該中三本指の指挿入部における他の基部側端が、小指の指挿入部における基部側端の上側に重複して形成されることを特徴とするものである。【００１４】  また、本発明に係るくつ下は必要に応じて、前記請求項１に記載のくつ下において、前記親指の指挿入部における基部側端が、中三本指の指挿入部における基部側端の下側に重複し、当該中三本指の指挿入部における他の基部側端が、小指の指挿入部における基部側端の下側に重複して形成されることを特徴とするものである。【００１５】  さらに、本発明に係るくつ下製造装置は、全体を丸編機により筒状体を編成し、当該筒状体の先端部分で形成されるトウ部を前記丸編機のシリンダにおける全周のうちの所定範囲で目減らし及び目増しを繰り返して親指用、中三本指用及び小指用に三分割して指挿入部として形成し、前記筒状体における指挿入部により先端側に編成されるメークアップ部を縫製して形成されるくつ下製造方法において、前記三分割された指挿入部の相隣接する相互間でウェール方向に順次重複させるシリンダの編成範囲で目減らし及び目増しを丸編機が繰り返し、前記一の指挿入部を目減らし及び目増しにより編成した後で、隣接する他の指挿入部を目減らし及び目増しの編成を行う前に、シリンダの全周に亘って複数コース分を丸編機が編成することを特徴とするものである。
【発明の効果】
【００１６】  本発明においては、丸編みで編成された筒状体の先端部分のトウ部が、三分割された指挿入部の相隣接する相互間で基部側端が順次重複した状態で編成し、前記相隣接する各指挿入部の各基部端との間においてウェール方向に複数コースを離反して編成されることから、親指及び／又は小指の脱落、特に歩行、運動等の動作時の脱落を防止して着用感を向上させるという効果を奏する。また、三分割された三本の指挿入部が相隣接する順序でシリンダの編成範囲で編成動作実行することから、製造工程を簡略化して製造時間及び製造コストを低減できるという効果を有する。
【図面の簡単な説明】
【００１７】
【図１】本実施形態に係るくつ下のトウ部における平面図、底面図、Ａ−Ａ・Ｂ−Ｂの各端面図である。
【図２】本実施形態に係るくつ下を編成する丸編機におけるシリンダの編成動作説明図である。
【図３】本実施形態に係るくつ下の編成動作態様図である。
【図４】実施形態に係るくつ下におけるリンキング前の全体斜視図を示す。
【発明を実施するための形態】
【００１８】（本発明の第１の実施形態）  以下、本発明の第１の実施形態に係るくつ下を、この製造方法と共に、図１ないし図４に基づいて説明する。この図１は、本実施形態に係るくつ下のトウ部における平面図、底面図、Ａ−Ａ・Ｂ−Ｂの各端面図、図２は本実施形態に係るくつ下を編成する丸編機におけるシリンダの編成動作説明図、図３は本実施形態に係るくつ下の編成動作態様図、図４は本実施形態に係るくつ下におけるリンキング前の全体斜視図を示す。
【００１９】  前記各図において本実施形態に係るくつ下は、全体を丸編機により編成される筒状体編地からなり、この筒状体編地の基端開口部から先端部開口部に向かって口ゴム部５、レッグ部４、ヒール部３、フート部２、トウ部１、及びルーズ・コース６が連続して編成され、このルーズ・コース６を縫製して袋体のくつ下として形成し、前記トウ部１が親指・中三本指・小指に三分割される各挿入部１１，１２，１３を備え、この各指挿入部１１，１２，１３の相隣接する相互間で基部側端１１ａ・１２ａ、１２ｂ・１３ａが順次重複した状態で編成され、これらの相隣接する各指挿入部１１，１２，１３の各基部側端との間でウェール方向に複数コース離反して編成される構成である。
【００２０】  前記各指挿入部１１，１２，１３の重複は、小指用指挿入部１１の基部側辺端１１ａが中三本指挿入部１２の一方の基部側辺端１２ａの上側にコース方向にウェールＷ１からウェールＷ２の間で重複し、この中三本指挿入部１２の他方の基部側端１２ｂが親指指挿入部１２の基部側辺端１３ａの上側にコース方向にウェールＷ３からウェールＷ４の間で重複して編成される構成である。
【００２１】  前記相隣接する各指挿入部１１，１２，１３のウェール方向における離反する編成部分は、小指挿入部１１の編成が終了したコースＣ１から中三本指挿入部１２の編成が開始するコースＣ１までの間を丸編機のシリンダ１０ｃの全周で編成される複数コース分で形成され、また中三本指挿入部１２の編成が終了したコースＣ２から親指挿入部１３の編成が開始するＣ３までの間を丸編機のシリンダ１００の全周で編成される複数コース分で形成される構成である。
【００２２】  次に、前記構成に基づく本実施形態に係るくつ下製造方法における編成動作について説明する。  丸編機によるくつ下の編成は、口ゴム部５、レッグ部４、ヒール部３、フート部２及びトウ部１と順次連続して編み立て、このフート部２及びトウ部１に各々連続する端部開口部となるルーズ・コース６を編み立てられることとなる。まず、くつ下の口ゴム部５は、丸編機のシリンダ１００の全周を編成範囲Ａ・Ｂとして編地を一重又は二重（ダブルウェルト；袋編）に編立てることによりメークアップ編成で形成される。
【００２３】  前記レッグ部４は、丸編機におけるシリンダ１０ｃの全周を編成範囲Ａ・Ｂとして使用し、複数のコースを順次繰り返すことにより編成される。このレッグ部４の編成に連続してヒール部３の編成を行う。このヒール部３は、シリンダ１００の略半周を編成範囲Ａとして使用し、このシリンダの編成範囲Ａ以外の編成範囲Ｂにある長バットニードルを非編成レベル（センター・カムの上面）に上げると共に、前記シリンダ１００の編成範囲Ａにある短バットニードルにてシリンダ１００の正逆往復回転により針上げピッカー及び針下げによる目減らしと目増やしとを行って前記レッグ部４の筒状体の一側に袋状の編地を編成する。
【００２４】  このレッグ部４とヒール部３とに連続して編成される前記フート部２は、レッグ部４と同様に丸編機におけるシリンダ１００の全周を編成範囲Ａ・Ｂとして使用し、複数のコースを順次繰り返すことにより編成される。このフート部に連続して編成されるトウ部１は、図２（Ａ）及び図３（Ａ）に示すように丸編機のシリンダ１００における編成範囲Ａのうち、編成範囲Ａ１の部分で短バットニードルを使用してシリンダ１００の正逆往復回転により針上げピッカー及び針下げによる目減らしと目増やしとを行って袋状の編地として小指指挿入部１１を編成する。
【００２５】  前記トウ部１の小指挿入部１１を編成した後に、丸編機におけるシリンダ１００の編成範囲Ａ・Ｂの全周を使用してコースＣ１からコースＣ２までの複数コースを繰り返して編成する。このシリンダ１００の編成範囲Ａ・Ｂにおける複数コースの最終コースＣ２からシリンダ１００における編成範囲Ａのうち編成範囲Ａ２の部分（ウェールＷ１からＷ４に相当）で短バットニードルを使用してシリンダ１００の正逆往復回転により針上げピッカー及び針下げによる目減らしと目増やしを行って袋状の編地として中三本指挿入部１２を編成する。このように編成された３本指挿入部１２は、その編成範囲Ａ２が前記小指挿入部１１の編成範囲Ａ１に対して編成範囲Ａ１１で共通していることから、各基部側辺端１２ａと基部側辺端１１ａがウェール方向にコースＣ１からコースＣ１に相当する複数コース分離反し、且つ重複した状態で編成されることとなる。
【００２６】  前記トウ部１の小指挿入部１１を編成した後に、丸編機におけるシリンダ１００の編成範囲Ａ・Ｂの全周を使用してコースＣ２からコースＣ３までの複数コースを繰り返して編成する。このシリンダ１００の編成範囲Ａ・Ｂにおける複数コースの最終コースＣ３からシリンダ１００における編成範囲Ａのうち編成範囲Ａ３の部分（ウェールＷ３からＷ５に相当）で短バットニードルを使用してシリンダ１００の正逆往復回転により針上げピッカー及び針下げによる目減らしと目増やしを行って袋状の編地として親指挿入部１３を編成する。このように編成された親指挿入部１３は、その編成範囲Ａ３が前記３本指挿入部１２の編成範囲Ａ２と編成範囲Ａ２１で共通していることから、各基部側辺端１３ａと基部側辺端１２ｂがウェール方向にコースＣ２からコースＣ３に相当する複数コース分離反し、且つ重複した状態で編成されることとなる。
【００２７】  前記小指挿入部１１、３本指挿入部１２、親指挿入部１３からなるトウ部１を編成した後、丸編機におけるシリンダ１００の全周に相当する編成範囲Ａ・Ｂを使って、少なくとも１コース分を度粗にしてルーズ・コース６を編み立てる。このルーズ・コース６はダイヤルリンキング機によって目差しをして縫製ライン６０で縫い合わせることにより全体を袋状のくつ下として形成する。
【００２８】  以上のように本実施形態に係るくつ下製造方法で形成されたくつ下は、丸編みにより口ゴム部５、レッグ部４、ヒール部３、フート部２、トウ部１と連続して編成された筒状体の先端部分に相当するトウ部１が小指挿入部１１、３本指挿入部１２及び親指挿入部１３の相隣接する相互間で基部側辺端１１ａ・１２ａ、基部側辺端１２ｂ・１３ａが順次重複した状態で編成され、且つ小指挿入部１１、親指挿入部１２、３本指挿入部１３の相隣接相互間における各基部基端１１ｃ，１２ｃ，１３ｃとの間がウェール方向に複数コース離反して編成されることから、親指及び／又は小指の脱落、特に歩行、運動等の動作時の脱落を防止して着用感を向上させると共に、三分割された三本の指挿入部が相隣接する順序でシリンダの編成範囲で編成動作実行することから、製造工程を簡略化して製造時間及び製造コストを低減できることとなる。
【００２９】  さらに、本実施形態に係るくつ下は、トウ部１における小指挿入部１１、親指挿入部１２、３本指挿入部１３の相隣接相互間における各基部基端１１ｃ，１２ｃ，１３ｃとの間がウェール方向に複数コース離反して編成されることから、小指（小趾）と第４趾との間及び親指（第１趾）と第２趾との間における各々の根元部分にシリンダ１００の編成範囲Ａ・Ｂの全周を使って編成された複数コース分の編目が当接して収納されることとなり、前記各根本部分の過度の食い込みを防止して着用感を向上させることができる。
【００３０】（本発明の他の実施形態）  本発明の他の実施形態に係るくつ下及びその製造方法は、前記第１の実施形態と同様に口ゴム部５、レッグ部４、ヒール部３、フート部２、トウ部１及びルーズ・コース６を丸編機により連続して編成され、前記トウ部１における小指挿入部１１、３本指挿入部１２、親指挿入部１３の重複構成を異にする。このトウ部１は、小指挿入部１１における基部側辺端１１ａが３本指挿入部１２の一方の基部側辺端１２ａの下側に重複し、この３本指挿入部１２の他方の基部側辺端１２ｂが親指挿入部１３の基部側辺端１３ａの下側に重複して形成される構成である。
【００３１】  また、本発明の他の実施形態に係るくつ下は、レッグ部及び／又はヒール部を有さない、少なくともトウ部を有するくつ下において、小指挿入部１１、３本指挿入部１２、親指挿入部１３が相隣接する相互間で順次重複し、且つ各基部側辺端との間にウェール方向に複数コース離反する構成とすることもできる。
【符号の説明】
【００３２】  １  トウ部  ２  フート部  ３  ヒール部  ４  レッグ部  ５  口ゴム部  ６  ルーズ・コース  １１  小指挿入部  １１ａ  基部側辺端  １１ｃ  基部基端  １２  ３本指挿入部  １２ａ  基部側辺端  １２ｃ  基部基端  １３  親指挿入部  １３ａ  基部側辺端  １３ｃ  基部基端  ６０  縫製ライン  １００  シリンダ
【図１】
2018142584.tif 000003
【図２】
2018142584.tif 000004
【図３】
2018142584.tif 000005
【図４】
2018142584.tif 000006
【国際調査報告】
2018142584.tif 000007
2018142584.tif 000008